(57)【要約】【課題】無線タグを部品に取り付けるにあたり、簡単に挿入でき、挿入後は位置ずれを防止し、取外しを可能としながらも市場において簡単には取り外せないようにすることである。【解決手段】無線タグ１０を保持するポケット２０において、下面部２８の一部は片持梁状弾性ばねの支持アーム３０となり、その先端に爪部３２が設けられる。爪部３２は自然状態では挿入口２２を狭める狭め位置をとるが、無線タグ１０が挿入されるときは無線タグ１０に乗り上げ挿入口２２を広げる広げ位置となる。無線タグ１０の挿入後は狭め位置に復帰し、無線タグ１０をしっかりと係止する。上面部２６の操作窓２４から操作具を用いて両爪部３２を同時におすことで係止を解除し、無線タグ１０を取り出すことができる。【選択図】図３
2005339471.tif 000002
【特許請求の範囲】
【請求項１】
無線機能付きメモリモジュールを部品に取り付けて保持するために前記部品に設けられ、前記メモリモジュールを挿入する挿入口を有するポケットであって、
挿入口に設けられ、挿入口を狭める狭め位置と、前記メモリモジュールを出し入れするときに挿入口を広げる広げ位置との両方の位置を取ることができる爪部を有し、
前記爪部は、前記メモリモジュールを挿入するときに前記メモリモジュールに乗り上げて前記広げ位置となる爪前端部と、挿入後は狭め位置となって前記メモリモジュールを係止する爪後端部とを含むことを特徴とする無線機能付きメモリモジュール保持用ポケット。
【請求項２】
請求項１に記載のメモリモジュール保持用ポケットにおいて、
前記爪部は複数設けられ、各爪部は他の爪部と独立に前記両方の位置を取ることができ、全ての爪部を同時に前記広げ位置とすることで前記メモリモジュールを出し入れすることができることを特徴とする無線機能付きメモリモジュール保持用ポケット。
【請求項３】
請求項１に記載のメモリモジュール保持用ポケットにおいて、
前記爪部は、
前記メモリモジュールの上面を保持するポケットの上面部材の一部または下面を保持するポケットの下面部材の一部に形成される片持梁状弾性ばね部の先端に設けられることを特徴とする無線機能付きメモリモジュール保持用ポケット。
【請求項４】
請求項３に記載のメモリモジュール保持用ポケットにおいて、
前記片持梁状弾性ばね部は、
前記上面部材の一部または前記下面部材の一部に、前記挿入口に垂直な方向を長手軸として、３方を貫通溝で囲まれて形成されることを特徴とする無線機能付きメモリモジュール保持用ポケット。
【請求項５】
請求項３に記載のメモリモジュール保持用ポケットにおいて、
前記片持梁状弾性ばね部は、
前記上面部材または前記下面部材に、前記挿入口の端部から、挿入口に垂直な方向に沿って割り溝を設け、割り溝の両側部分が片持梁状の弾性を有することを特徴とする無線機能付きメモリモジュール保持用ポケット。
【発明の詳細な説明】
【技術分野】
【０００１】
本発明は、メモリモジュールを保持するためのポケットに係り、特に無線機能付きメモリモジュールを部品に取り付けて保持するために部品に設けられる無線機能付きメモリモジュール保持用ポケットに関する。
【背景技術】
【０００２】
複写機等の画像処理装置に用いられるトナーカートリッジ等は、複写により内部のトナーが消費され、やがて交換時期になると消費者により取外され、新しいトナーカートリッジに交換される。このように交換可能な消耗部品には、その消耗部品の履歴等をトレースするために、無線交信可能なメモリモジュールが取り付けられることがある。例えば、このメモリモジュールに、そのトナーカートリッジの仕様等を記憶させておけば、トナーカートリッジの交換の際に、複写機の仕様に合うものかどうかが判別でき、複写機の性能を保証できる。また、交換後に回収・リサイクルを行うときも、そのトナーカートリッジの仕様等が読み出せるので、正しく回収・リサイクルを行うことができる。また、消費者の使用状況を記憶するようにすれば、それを読み出すことで故障解析等を容易に行うことができ、また消費者の消費動向等のデータを収集できるので、サービス向上に役立てることができる。
【０００３】
このような無線機能付きメモリモジュールとしては、アンテナと無線インタフェースと書き換え可能な半導体メモリ等を組合せた回路モジュールを用いることができる。例えば、アンテナ付きＲＦＩＤ（Ｒａｄｉｏ  Ｆｒｅｑｕｅｎｃｙ  Ｉｄｅｎｔｉｔｙ）チップ、あるいは非接触ＩＣチップ、あるいは無線タグ（ＴＡＧ）等と呼ばれるものを用いることができる。
【０００４】
この無線機能付きメモリモジュールを消耗部品に取り付ける方法としては、例えば両面接着テープ等を用いることができる。この方法は簡便であるが、その反面、経時変化等により取り付け位置がずれ、あるいは事故等で剥落する可能性がある。この対策として、特許文献１には、トナーカートリッジ筐体の内部に、その成型時に非接触ＩＣチップをインサート成形法によって埋め込む方法が開示される。
【０００５】
【特許文献１】特開２００２−２２９４１５号公報
【発明の開示】
【発明が解決しようとする課題】
【０００６】
無線機能付きメモリモジュールを部品等に取り付ける方法として、両面接着テープには上記のように取付位置の変化や脱落の可能性がある。また、市場において、無線機能つきモジュールが取外されたりする危険も有する。特許文献１の取り付ける対象物の部品等に埋め込んで一体化する方法では、仮に無線機能付きメモリモジュールに故障等が生じても、その交換が容易ではなく、部品そのものを交換することになり不便である。
【０００７】
このように、無線機能付きメモリモジュールを部品等に取り付ける従来技術は、無線機能付きモジュールの交換容易性を確保しながら、取付位置の安定性の確保や、市場において取外されることを防止することが困難である。
【０００８】
本発明の目的は、無線機能付きモジュールを部品に取り付けるにあたり、無線機能付きモジュールの取付位置の安定性を確保しながら無線機能付きモジュールを交換可能とする無線機能付きメモリモジュール保持用ポケットを提供することである。また、他の目的は、部品に取り付ける無線機能付きモジュールについて、無線機能付きモジュールが市場において取外されることを抑制できる無線機能付きメモリモジュール保持用ポケットを提供することである。
【課題を解決するための手段】
【０００９】
本発明に係る無線機能付きメモリモジュール保持用ポケットは、無線機能付きメモリモジュールを部品に取り付けて保持するために前記部品に設けられ、前記メモリモジュールを挿入する挿入口を有するポケットであって、挿入口に設けられ、挿入口を狭める狭め位置と、前記メモリモジュールを出し入れするときに挿入口を広げる広げ位置との両方の位置を取ることができる爪部を有し、前記爪部は、前記メモリモジュールを挿入するときに前記メモリモジュールに乗り上げて前記広げ位置となる爪前端部と、挿入後は狭め位置となって前記メモリモジュールを係止する爪後端部とを含むことを特徴とする。
【００１０】
また、前記爪部は複数設けられ、各爪部は他の爪部と独立に前記両方の位置を取ることができ、全ての爪部を同時に前記広げ位置とすることで前記メモリモジュールを出し入れすることができることが好ましい。
【００１１】
また、前記爪部は、前記メモリモジュールの上面を保持するポケットの上面部材の一部または下面を保持するポケットの下面部材の一部に形成される片持梁状弾性ばね部の先端に設けられることが好ましい。
【００１２】
また、前記片持梁状弾性ばね部は、前記上面部材の一部または前記下面部材の一部に、前記挿入口に垂直な方向を長手軸として、３方を貫通溝で囲まれて形成されることが好ましい。また、前記片持梁状弾性ばね部は、前記上面部材または前記下面部材に、前記挿入口の端部から、挿入口に垂直な方向に沿って割り溝を設け、割り溝の両側部分が片持梁状の弾性を有することが好ましい。
【発明の効果】
【００１３】
上記構成により、ポケットの挿入口には、挿入口を狭める狭め位置と、前記メモリモジュールを出し入れするときに挿入口を広げる広げ位置との両方の位置を取ることができる爪部が設けられる。そして、メモリモジュールを挿入するときに爪前端部はメモリモジュールに乗り上げて前記広げ位置となり、挿入後は狭め位置となって爪後端部によりメモリモジュールを係止する。したがって、挿入は単に無線機能付きメモリモジュールを挿入口に挿入するだけで爪前端部が乗り上げてくれるので容易にポケット内に挿入できる。一旦ポケットの内部に挿入されると、爪後端部により無線機能付きメモリモジュールが係止されるので、その位置がしっかりと確保される。また、爪部を広げ位置にすることで、無線機能付きメモリモジュールをポケット内部から取出すことができる。このように、無線機能付きメモリモジュールの挿入の容易性と位置の安定性を確保でき、また交換可能性を実現できる。
【００１４】
なお、ポケットは、部品の一部を構成するものとして一体成形等で形成してもよく、別体でポケットケースを製作し、これをネジ止め等の位置のずれを防止できる固定手段で部品に取り付けるものとしてもよい。また、爪部の乗り上げとは、必ずしも無線付きメモリモジュールの上部に乗り上げる場合のみならず、爪部を無線機能付きメモリモジュールの下部に配置し、無線機能付きモジュールの外形に沿って爪部が相対的に移動することも含む。
【００１５】
また、爪部を複数設けることで、無線機能付きメモリモジュールの挿入時は全部の爪部が乗り上げることで挿入の容易性を確保できる一方で、一旦挿入されると、複数の爪部の全部について故意に広げ位置にしない限り、無線機能付きメモリモジュールをポケットから取外すことができなくなる。つまり、一度に全部の爪部を広げ位置にする特殊なジグを用いれば無線機能付きメモリモジュールの交換は容易にできるが、単なる手作業では交換を行うのは容易ではなくなる。したがって、市場において故意に無線機能付きメモリモジュールが取外しされること等を抑制できる。
【００１６】
また、ポケットの上面部材の一部または下面部材の一部に形成される片持梁状弾性ばね部の先端に爪部を設けることで、簡単な構成で爪部を形成できる。片持梁状弾性ばね部は、３方を貫通溝で囲まれて形成されるものを用いることで、簡単な構成とできる。また、片持梁状弾性ばね部は、割り溝を設けて割り溝の両側部分が片持梁状の弾性を有することにするものを用いることで、簡単な構成とできる。
【発明を実施するための最良の形態】
【００１７】
以下に図面を用いて本発明に係る実施の形態に付き詳細に説明する。以下において、本発明に係るポケットが適用される部品として、複写機のトナーカートリッジを取り上げるが、それ以外の複写機の部品であってもよい。例えば、現像カートリッジ、感光体ドラムとトナー補給容器又は現像装置又はクリーナ又は帯電装置とを一体とするプロセスカートリッジ等の交換可能部品であってもよく、あるいは制御基板等の部品であってもよい。また、複写機以外の画像処理装置、例えばプリンタ、ファクシミリ装置等における部品でもよい。また、画像処理装置の部品でなくても、無線機能付きメモリモジュールを取り付けるものであれば、他の種類の装置に係る部品あるいは装置そのものであってもよい。
【００１８】
また、以下では、無線機能付きメモリモジュールとして無線タグを用いる場合について説明する。市場において無線タグと呼ばれるものは様々なものがあるが、以下において無線タグの語は、アンテナと無線インタフェースと電気的に書き換え可能なメモリデバイスを含み、外部と無線交信により、メモリデバイスのデータを読み書きできるものを広くさすものとする。
【００１９】
図１は、トナーカートリッジ８に無線タグ１０を取り付けるためのポケット２０の様子を示す図である。ポケット２０は、無線タグ１０の挿入によりその内部に無線タグ１０を受け入れ、内部に収納された無線タグ１０を後述する爪部により係止してその位置をしっかりと保持し、保持された無線タグ１０については爪部を操作することで係止を解除して取り出し可能とする機能を有するものである。ポケット２０は、無線タグ１０を出し入れするための挿入口２２と、無線タグ１０を係止している爪部を押して係止を解除させる操作を行うための操作窓２４を有する。図１においては、白抜き矢印で示す方向に挿入口２２に向かって無線タグ１０を挿入することでポケット２０の内部に無線タグ１０を収納でき、図１の２つの矢印で示すように操作窓２４から図示されていない爪部を操作して、ポケット２０内部に収納されている無線タグ１０の係止を解除できる。
【００２０】
かかるポケット２０は、トナーカートリッジ８の一部として、トナーカートリッジ８を樹脂成型等で製造するときに一体構造として形成される。あるいは、適当な樹脂材料を用いて成型技術により独立のポケットケース等の形態で得ることができ、これをネジ止め等の固定手段でトナーカートリッジ８に取り付けることでもよい。樹脂材料としては、例えばＡＢＳ樹脂等を用いることができる。
【００２１】
図２は、無線タグ１０の平面図及び側面図である。無線タグ１０は、概略矩形形状の電子部品搭載回路モジュールであり、回路基板１２の上に無線タグＩＣ１４が配置され、これに接続されるアンテナを構成する周回配線１６がパターンとして形成され、全体として、適当な樹脂ポッティングあるいは樹脂封止が施される。必要があれば他の電子部品１８も配置され接続される。寸法の一例を述べると、回路基板１２は厚みが約０．４ｍｍで、約２２ｍｍ角の形状を有する。無線タグＩＣ１４は、厚みが約０．９ｍｍで、その大きさは縦横ともそれぞれ数ｍｍ程度である。アンテナを構成する周回配線は、例えば４ターン程度巻回される。なお、これらの数値は、あくまで説明のための一例に過ぎず、これ以外のものであってもよい。
【００２２】
図３は、無線タグ１０が内部に収納されているポケット２０の部分を抜き出して示す図である。図３の右側には平面図を示し、平面図のＢ−Ｂ線に沿った断面側面図を左側に示す。ポケット２０は、無線タグ１０の上面側を支持する上面部２６と、無線タグ１０の下面側を支持する下面部２８と、無線タグ１０の両側面を支持する両側面部と、無線タグ１０の前側面を支持する底面部とを有する。ここで無線タグ１０の前側面とは、無線タグ１０をポケット２０に挿入するときに前側となる側面で、図３の紙面上では無線タグ１０の下辺側となる側面である。
【００２３】
上面部２６と下面部２８と両側面部及び底面部とで囲まれる略直方体の空間は、ポケット２０において無線タグ１０を収納し保持する無線タグ保持空間である。無線タグ１０は図２で示すように、回路基板１２から無線タグＩＣ１４等が突き出る外形を有するので、無線タグ保持空間は、その突き出る部分の移動を妨げないように、その部分の空間も含めて設定される。また、上面部２６及び下面部２８は、無線タグ１０の上面及び下面の全面を支持する必要はない。
【００２４】
挿入口２２は、無線タグ保持空間の紙面の上方に向かって開口するところであり、無線タグ１０を無線タグ保持空間へ挿入し、無線タグ保持空間から出すための出入り口の機能を有する。操作窓２４は、上面部２６に設けられる２箇所の開口である。操作窓２４の機能等については後述する。
【００２５】
下面部２８の一部は支持アーム３０となり、その先端に爪部３２が設けられる。爪部３２は、ちょうど操作窓２４の所に位置するように配置される。図３において、ポケット２０の内部の無線タグ支持空間に無線タグ１０が収納されているときは、無線タグ１０の後側面と爪部３２の後端部３４とが当接し、ポケット２０の内部の底面部と協働して無線タグ１０を係止する。ここで、無線タグ１０の後側面とは、無線タグ１０をポケット２０に挿入するときに後側となる側面で、図３の紙面上では無線タグ１０の上辺側となる側面である。したがって、無線タグ１０は、爪部３２の後端部３４とポケットの底面部とでしっかり保持され、その位置が経時変化によりずれることが抑制される。
【００２６】
図４は、無線タグ１０がポケット２０の内部に挿入されていないときのポケット２０の様子を示す図である。右側の平面図及び左側の断面側面図の示し方は図３と同様である。図４に示されるように、爪部３２は、その先端形状が後端部３４と、前端部３６とで少し異ならせてある。爪部３２の前端部３６は、無線タグ１０が挿入されるときに、無線タグ１０の前側面と最初に接触する部分であり、無線タグ１０の前側面からその上面に乗り上げやすい形状、例えばゆるい傾斜面に形成されるのが好ましい。爪部３２の後端部３４は、上記のように無線タグ１０の後側面に当接し、ポケット２０の底面部と協働して無線タグ１０を係止する機能を有するので、支持アーム３０の軸方向にほぼ直角となる形状に形成されるのが好ましい。
【００２７】
支持アーム３０は、先端に爪部３２を有し、爪部３２の係止機能と共に、無線タグ１０の下面を支持する機能を有する。支持アーム３０は、ポケット２０の挿入口２２に垂直な挿入方向に平行に、２つ設けられる。具体的には、ポケット２０の下面部２８において、ポケット２０の両側面側に近接して、略Ｕ字形の貫通溝３８を形成し、この貫通溝３８に３方が囲まれた片持梁形状の部分が支持アーム３０として用いられる。片持梁形状の支持アーム３０の支持端は、ポケット２０の底面部側に設けられ、支持アーム３０の自由端の先端に爪部３２が設けられる。下面部の材質は上記のようにＡＢＳ樹脂等の樹脂材料であるので、支持アーム３０の寸法を適当に設定することで、支持アーム３０に片持梁弾性ばねとしての作用を持たせ、自由端にある爪部３２を弾性的に移動させることができる。片持梁弾性ばねとしての支持アーム３０の寸法の一例は、上記の無線タグ１０の寸法の場合で、幅が２〜３ｍｍ、長さが２４ｍｍ程度、貫通溝の幅は１〜２ｍｍ程度である。支持アーム３０の厚みは下面部２８の厚みで決まるが、例えば１〜３ｍｍ程度とすることができる。
【００２８】
このように片持梁弾性ばねとしての支持アーム３０の先端に設けられる爪部３２は、自然状態では挿入口２２の開口を狭めるように設定される。爪部３２のこの位置状態を狭め位置と呼ぶことにすると、爪部３２を支持アーム３０の弾性を利用してポケット２０の内部側に移動させることで、挿入口２２の開口を広げることができる。爪部３２のこの位置状態を広げ位置と呼ぶことにすれば、爪部３２は、狭め状態と広げ状態の両方の状態を取りえることができる。
【００２９】
狭め状態から広げ状態に爪部３２を変更するには、２つのことが考えられる。１つは、無線タグ１０を挿入口２２から挿入するときである。このときは、爪部３２の前端部３６が例えば傾斜形状をしているので、無線タグ１０の前側面に爪部３２が接触したとき、この傾斜形状により爪部３２が無線タグ１０の下面に乗り上げ、結果として爪部３２は広げ位置を取る。もう１つは、操作窓２４を用いて、爪部３２をポケット２０の内部側に押し操作を行うことである。このときは、押し操作により爪部３２は広げ位置となる。
【００３０】
図５と図６は、爪部３２が広げ位置をとるときの様子を示す図である。これらの図の平面図、断面側面図の示し方は図３、図４と同様である。図５は、無線タグ１０を挿入している途中の様子を示すもので、爪部３２が無線タグ１０の下面に乗り上げている。すなわち、無線タグ１０が挿入移動すると、爪部３２は、支持アーム３０の弾性により無線タグ１０の下面に押し付けられながら滑っている。このとき、爪部３２は自然状態の狭め状態からポケット２０の内部側に押されて、広げ位置を取っており、これにより無線タグ１０はポケット２０の内部側に挿入されることができる。
【００３１】
無線タグ１０がポケット２０の内部の底面部に押し当たるまで十分挿入されると、爪部３２のところには無線タグ１０の後端部が来て少し行過ぎており、爪部３２は支持アーム３０の弾性により無線タグ１０の下面の高さから元の自然状態に復帰する。すなわち狭め位置をとる。そして、上記のように、爪部３２の後端部３４は、無線タグ１０の後側面に当接し、ポケット２０の底面部と協働して無線タグ１０を係止する。
【００３２】
このように、無線タグ１０を挿入するときは、爪部３２はその前端部の形状と支持アーム３０の弾性の作用により、スムーズに無線タグ１０の下面に乗り上げ、単に挿入操作を行うのみで爪部３２の狭め位置を広げ位置に変更する。すなわち、ワンタッチ操作で無線タグ１０をポケット２０の内部に挿入することができる。そして挿入後は、支持アーム３０の弾性により爪部３２は狭め位置に復帰し、爪部３２の後端部の形状とポケット２０の底面部の協働作用により、無線タグ１０をしっかりと係止し、故意に爪部３２を広げ位置にしない限り、無線タグ１０の位置は変わらず、脱落せず、外部に取り出されることがない。
【００３３】
図６は、操作窓２４を介して操作具４０を用い、爪部３２を広げ位置に変更し、無線タグ１０を取り出すときの様子を示す図である。操作具４０は、２つの爪部３２を同時に広げ位置にするためのものである。具体的には、操作具４０により、２つの爪部３２を同時にポケット２０の内部側に押し、爪部３２を広げ位置にする。そして図示されていない適当なずらし窓等を介して無線タグ１０を挿入口２２側にすこしずらし、爪部３２を無線タグ１０の下面部に乗る位置にする。この状態で操作具４０を外せば、爪部３２は無線タグ１０の下面に乗っており、係止が解除される。その後適当な取り出し操作により無線タグ１０を挿入口２２側に動かすことで、無線タグ１０をポケット２０内部から取り出し、例えば無線タグ１０の交換等を行うことができる。
【００３４】
このように、操作具４０を用いて爪部３２を強制的に広げ位置にすることで、無線タグ１０と爪部３２の後端部３４との係止を解除でき、無線タグ１０をポケット２０の外に取り出すことができる。また、爪部３２は２つ設けられているので、同時に２つの爪部３２を広げ位置にしない限り、無線タグ１０を取り出すことができない。つまり、単なる手作業では、無線タグ１０を取り出すことがかなり困難で、この困難性によって、市場において故意に無線タグ１０が取外されることを抑制することができる。爪部３２は、複数設けられればよく、必ずしも２つでなくてもよい。
【００３５】
図７は、他の形態のポケット５０の様子を示す図で、右側の図は平面図、左側の図は断面側面図である。ポケット５０は、上面部５６と下面部５８及び底面部と両側面部によって無線タグ１０を収納し保持する無線タグ収納空間を形成することは図３のポケット２０と同様である。挿入口５２は、無線タグ収納空間から図７の紙面に上方に向かって開口する。
【００３６】
また、ポケット５０の下面部５８は挿入口５２より上方側に延び、そこにスライドガイド９２が挿入方向に平行に２つ設けられる。スライドガイド９２は、無線タグ１０の幅に合わせ無線タグ１０の両側面側の下面を支持するように配置される。スライドガイド９２は、無線タグ１０をポケット５０の挿入口５２に挿入するときの挿入方向を安定させるガイドの機能と共に、無線タグ１０の下面に突き出る無線タグＩＣ１４の移動を妨げない空間を形成する機能を有する。
【００３７】
ポケット５０においては、上面部５６にスリット９０が設けられる。スリット９０によって分けられる上面部５６の左右部の挿入口５２側における端部には爪部８２が設けられる。爪部８２は、前端部８６と後端部８４とを有する。前端部８６と後端部８４の形状、及び作用は、図３で説明した内容と同様であるので詳細な説明を省略する。爪部８２は、自然状態において、挿入口５２を狭める狭め位置をとることも同様である。
【００３８】
スリット９０は、挿入口５２に垂直な挿入方向に平行に、挿入口５２側からポケット５０の底面部側に向かって設けられる。スリット９０の挿入口５２側及びその反対側の底面部側は、図７に示すように広がりを有する開放端とすることが望ましい。このようなスリット９０を設けることで、上面部５６の挿入口５２側における２つの端部である爪部８２は、上面部５６の底面部側及び側面部側を固定端とする略片持梁形状の自由端となり弾性ばねの先端としての作用を有することができる。
【００３９】
上記構成のポケット５０において、無線タグ１０をポケット５０内部の無線タグ収納空間に挿入するには、両スライドガイド９２に無線タグ１０の下面の両側面側を乗せ、図７の白抜き矢印で示す挿入方向にスライドさせて挿入口５２に挿入する。爪部８２は、その前端部８６が無線タグ１０の前側面に接触すると、その傾斜形状と、弾性ばねの先端としての作用により、無線タグ１０の上面に乗り上げ、狭め位置からポケット５０の内部側に移動して広げ位置を取る。これにより、単に挿入動作のみで、無線タグ１０の上面を爪部８２が広げ位置のまま滑り、無線タグ１０の挿入が行われる。無線タグ１０がポケット５０の内部の底面部に押し当たるまで十分挿入されると、爪部８２は弾性ばねの先端としての作用により元の自然状態の狭め位置に復帰する。そして、爪部８２の後端部８４は、無線タグ１０の後側面に当接し、ポケット５０の底面部と協働して無線タグ１０をしっかり係止する。
【００４０】
ポケット５０の内部に収納されている無線タグ１０の係止を解除するには、図７で斜線を付した矢印のように、２つの爪部８２を同時に持ち上げる操作を行う。そのために適する操作具の例を図８に示す。操作具９４は、二股構造をなし、二股の先端に２つの爪部８２を同時に持ち上げるのに適した引っ掛け部９６を有する。この操作具９４を用い、二股の先端の両引っ掛け部９６を両爪部８２に同時に引っ掛け、これを持ち上げることで、両爪部８２を同時に広げ位置にすることができる。その後の取外し操作は図６に関連して説明したものと同様とできるので、詳細な説明を省略する。
【００４１】
このように、図７に示す形態のポケット５０によっても、無線タグ１０の挿入をワンタッチ操作で行うことができ、一旦挿入されると、しっかりと係止され、経時変化による位置のずれや脱落等を防止できる。また、爪部３２を持ち上げる操作を行うことで係止を解除でき無線タグ１０を取り出すことができる。また、係止解除には複数の爪部３２を同時に持ち上げる操作が必要なため単純な手作業等では困難で、これにより、市場において故意に無線タグ１０が取外されることを抑制することができる。
【００４２】
したがって、無線タグを部品に取り付けるにあたり、ポケットに簡単に挿入でき、挿入後は位置ずれを防止し、ポケットから取外しを可能としながらも、市場において簡単には取り外せないようにできる。
【図面の簡単な説明】
【００４３】
【図１】本発明に係る実施の形態の無線タグ保持用ポケットをトナーカートリッジに設ける様子を示す図である。
【図２】無線タグの平面図及び側面図である。
【図３】本発明に係る実施の形態において、無線タグが内部に収納されているポケットの部分を抜き出して示す平面図及び断面側面図である。
【図４】本発明に係る実施の形態において、無線タグがポケットの内部に挿入されていないときのポケットの様子を示す平面図及び断面側面図である。
【図５】本発明に係る実施の形態において、無線タグが挿入されている途中ポケットの様子を示す平面図及び断面側面図である。
【図６】本発明に係る実施の形態において、操作具を用いて爪部を広げ位置に変更し、無線タグを取り出すときのポケットの様子を示す様子を示す平面図及び断面側面図である。
【図７】他の実施の形態の平面図及び断面側面図である。
【図８】図７の形態において用いられる操作具の例を示す図である。
【符号の説明】
【００４４】
８  トナーカートリッジ、１０  無線タグ、１２  回路基板、１４  無線タグＩＣ、１６  周回配線、１８  電子部品、２０，５０  ポケット、２２，５２  挿入口、２４  操作窓、２６，５６  上面部、２８，５８  下面部、３０  支持アーム、３２，８２  爪部、３４，８４  後端部、３６，８６  前端部、３８  貫通溝、４０，９４  操作具、９０  スリット、９２  スライドガイド、９６  引っ掛け部。
【図１】
2005339471.tif 000003
【図２】
2005339471.tif 000004
【図３】
2005339471.tif 000005
【図４】
2005339471.tif 000006
【図５】
2005339471.tif 000007
【図６】
2005339471.tif 000008
【図７】
2005339471.tif 000009
【図８】
2005339471.tif 000010